(57)【要約】【課題】  寝床の位置や場所を変更した場合に、その寝床の位置や場所に簡単に移動させることができ、使用しないときは、簡単に片付けることができる被覆器を提供すること。【解決手段】  利用者５が横たわった状態で顔全体を覆うことができる被覆器４において、顔全体を、間隔を隔てて覆う形状であり、保温性及び保湿性を有する布で形成された被覆体６と、座敷１４に配置されて被覆体６を支持する支持部７とを備え、支持部７の下部に固定部材８が形成され、固定部材８が敷布団１２の下に敷かれて安定した状態で被覆器４を配置できる。【選択図】      図１
2006055490.tif 000002
【特許請求の範囲】
【請求項１】
利用者が横たわった状態で顔全体を覆うことができる被覆器において、
顔全体を、間隔を隔てて覆う形状であり、保温性及び保湿性のいずれかを有する布や膜で形成された被覆体と、座敷やベッドに配置されて前記被覆体を支持する支持部とを備えることを特徴とする被覆器。
【請求項２】
前記被覆体が前記支持部に着脱自在に取り付けられていることを特徴とする請求項１記載の被覆器。
【請求項３】
前記支持部の下部に固定部材が設けられ、前記固定部材が敷布団や敷きマットの下に敷かれて前記支持部が固定されることを特徴とする請求項１又は２記載の被覆器。
【請求項４】
前記支持部の下部に固定部材が設けられ、前記固定部材を掛け布団の上縁部上面に着脱自在に取り付けて前記支持部を固定することを特徴とする請求項１又は２記載の被覆器。
【請求項５】
前記被覆体は、間隔を隔てて顔全体を覆う状態で、その下縁部が前記座敷や寝具に接触する長さに形成されていることを特徴とする請求項１乃至４のいずれかに記載の被覆器。
【請求項６】
前記支持部が線状体で形成された１又は２以上の枠体を有し、前記１又は２以上の各枠体の両端部が枢支部によって回動自在に枢支され、前記枠体が所定の回動位置で保持されることを特徴とする請求項１乃至５のいずれかに記載の被覆器。
【請求項７】
利用者が横たわった状態で身体全体を覆うことができる被覆器において、
身体全体を、間隔を隔てて覆う形状であり、保温性及び保湿性のいずれかを有する布や膜で形成された被覆体と、座敷やベッドに配置されて前記被覆体を支持する支持部とを備えることを特徴とする被覆器。
【請求項８】
通気性を有するクッション部と、前記クッション部を保持し前記クッション部に向かって開口する多数の通気孔を有する保持部と、前記保持部に設けられ前記多数の通気孔と連通する開口部とを備えることを特徴とするマット。
【請求項９】
前記保持部の下面が通気性の低い封止布や封止膜で被覆されていることを特徴とする請求項８記載のマット。
【発明の詳細な説明】
【技術分野】
【０００１】
本発明は、例えば利用者が横たわった状態の例えば就寝時に、顔全体又は身体全体を被覆することができる被覆器、及びこの被覆器を利用するときに使用できるマットに関する。
【背景技術】
【０００２】
肺に通じる気道が乾燥したり、冷気によって冷やされると、線毛運動が低下して身体の抵抗力が弱くなる。その結果、上気道炎を起こしたりインフルエンザ等に感染することがある。そこで、気道が乾燥したり冷やされることを防止するために、例えば布製のマスクを装着して口や鼻を覆う方法がある。
【０００３】
しかし、このようなマスクとして、耳に掛けて顔に装着するものがあるが、睡眠中は、無意識にマスクを取り外してしまうことがあり、気道の乾燥や冷却を防止できないこととなる。
【０００４】
そこで、この問題を解決するために、図１１に示す就寝マスクが発明されている（例えば、特許文献１参照。）。この就寝マスク１は、同図に示すように、比較的気密性を有する布を使用してドーム型に形成したものであり、このドーム型形状を保持するために、例えば針金で骨組み（図示せず）が形成されている。
【０００５】
この就寝マスク１は、就寝時に顔全体を覆うように、天井から紐２で吊り下げて使用するものであり、呼気によって就寝マスク１内を適切な湿度及び温度に保つことができる。これによって、利用者の気道の乾燥や冷却を防止することができる。
【特許文献１】特開２００４−４９７１１号公報
【発明の開示】
【発明が解決しようとする課題】
【０００６】
しかし、図１１に示す従来の就寝マスク１は、天井から紐２で吊り下げて使用するものなので、寝床３の位置や場所（例えば部屋）を変更した場合は、その寝床３の位置や場所に応じて就寝マスク１の吊り下げ位置を変更する必要があり、吊下げ位置の変更には手間が掛かる。また、就寝マスク１を使用しないときは、就寝マスク１を吊下げ紐２から取り外す必要があり手間が掛かる。更に、就寝マスク１を紐２から取り外したときは、紐２が天井から垂れ下がっており見栄えが悪い。
【０００７】
本発明は、上記のような課題を解決するためになされたものであり、顔全体又は身体全体を被覆できる被覆器であって、寝床の位置や場所を変更した場合に、その寝床の位置や場所に簡単に移動させることができ、使用しないときは、簡単に片付けることができる被覆器、及びこの被覆器を利用するときに湿気を防止で切るマットを提供することを目的としている。
【課題を解決するための手段】
【０００８】
本発明は、利用者が横たわった状態で顔全体を覆うことができる被覆器において、顔全体を、間隔を隔てて覆う形状であり、保温性及び保湿性のいずれかを有する布や膜で形成された被覆体と、座敷やベッドに配置されて前記被覆体を支持する支持部とを備えることを特徴とするものである。
【０００９】
この発明の被覆器によると、例えば就寝時に横たわった状態で、被覆体によって顔全体を、間隔を隔てて覆うことができる。この状態で、被覆体内は、呼気によって適切な湿度、温度に保つことができ、これによって気道が乾燥したり冷やされることを防止できる。そして、被覆器は、座敷やベッドに配置して使用できるので、寝床の位置や場所（例えば部屋）を変更した場合に、その変更した寝床の位置や場所に簡単に移動させて使用することができる。
【００１０】
なお、例えば睡眠中は、気道の乾燥や冷却を防止するために、部屋の湿度や温度を加湿器や空調機で調節することができるが、このように部屋全体の湿度や温度を上げると、部屋内のカビやダニ等を増加させることになり、健康を害することがある。そこで、この発明の被覆器を使用すると、部屋全体の湿度や温度を上げる必要がないので、部屋内のカビやダニ等を増加させることがない。
【００１１】
そして、この発明の被覆器において、前記被覆体が前記支持部に着脱自在に取り付けられるようにできる。このように、被覆体を支持部に着脱自在に取り付けると、被覆体が汚れたときに、被覆体を支持体から簡単に取り外して洗濯できるし、この洗濯した被覆体を支持部に簡単に取り付けることができる。
【００１２】
そして、この発明の被覆器において、前記支持部の下部に固定部材が設けられ、前記固定部材が敷布団や敷きマットの下に敷かれて前記支持部が固定されるようにできる。このように、固定部材が敷布団や敷きマットの下に敷かれるように配置することによって、この被覆器を座敷やベッドに安定した状態に取り付けることができる。よって、敷布団等の敷く位置や場所を変更した場合でも、被覆器をその変更した位置や場所に簡単に移動させて、安定した設置状態で使用することができる。
【００１３】
また、この発明の被覆器において、前記支持部の下部に固定部材が設けられ、前記固定部材を掛け布団の上縁部上面に着脱自在に取り付けて前記支持部を固定するようにできる。このように、被覆器を掛け布団に着脱自在に取り付けるようにすると、利用者が横たわった状態で、被覆器を手で簡単に操作できるようにすることができる。つまり、利用者が横たわった状態で、被覆器が顔全体を覆うようにできるし、顔から外れるようにすることができる。
【００１４】
更に、この発明の被覆器において、前記被覆体は、間隔を隔てて顔全体を覆う状態で、その下縁部が前記座敷や寝具に接触する長さに形成するとよい。このようにすると、呼気に含まれている水蒸気や、呼気により暖められた空気を効果的に被覆体内に閉じ込めておくことができる。よって、被覆体内を適切な湿度、温度に保つことができる。
【００１５】
そして、この発明の被覆器において、前記支持部が線状体で形成された１又は２以上の枠体を有し、前記１又は２以上の各枠体の両端部が枢支部によって回動自在に枢支され、前記枠体が所定の回動位置で保持されるようにできる。この被覆器によると、枠体を、枢支部を中心にして回動させることによって、被覆体が顔全体を覆う状態と、顔から外れる状態とにすることができる。
【００１６】
そして、この発明は、利用者が横たわった状態で身体全体を覆うことができる被覆器において、身体全体を、間隔を隔てて覆う形状であり、保温性及び保湿性のいずれかを有する布や膜で形成された被覆体と、座敷やベッドに配置されて前記被覆体を支持する支持部とを備えるようにしてもよい。このように、被覆体を、身体全体と間隔を隔てて配置すると、被覆器内で身体を動かしたり移動させることができ、このように身体を動かす等しても、身体全体が被覆体によって覆われた状態となっているので、身体全体を保湿したり、保温することができる。そして、第１実施形態の被覆器と同様に、気道が乾燥したり冷やされることを防止できる。
【００１７】
また、この発明のマットは、通気性を有するクッション部と、前記クッション部を保持し前記クッション部に向かって開口する多数の通気孔を有する保持部と、前記保持部に設けられ前記多数の通気孔と連通する開口部とを備えることを特徴とするものである。
【００１８】
この発明のマットによると、例えば布団乾燥機が吐出する高温乾燥空気を開口部から供給すると、この高温乾燥空気を多数の通気孔に通してクッション部全体に行き渡らせることができる。これによって、このマットが吸湿した湿気を乾燥させることができるし、マットに付着するダニ等の害虫を死滅させることができる。そして、例えば掃除機によって開口部からマット内の空気を吸い込むと、多数の通気孔を介してマットに付着するダニやハウスダスト等を吸い込んで、マットを綺麗に掃除することができる。
【００１９】
更に、この発明のマットにおいて、前記保持部の下面が通気性の低い封止布や封止膜で被覆されているようにするとよい。これによって、例えば布団乾燥機が吐出する高温乾燥空気が保持部の下面から漏出するのを防止でき、高温乾燥空気をマット全体に広く行き渡らせることができる。そして、例えば掃除機によってマットに付着するダニやハウスダスト等を吸い込む際に、保持部の下面から空気が吸い込まれるのを防止して、マットを綺麗に掃除することができる。
【発明の効果】
【００２０】
この発明の被覆器によると、座敷やベッドに配置して使用できるので、寝床の位置や場所を変更した場合でも、その変更した寝床の位置や場所に手間を掛けずに簡単に移動させて使用できる。そして、使用しないときは、簡単に片付けることができて便利である。また、顔全体等を覆うものであり、部屋全体の湿度や温度を上げるものではないので、部屋内のカビやダニ等を増加させることがなく、カビ等により健康を害されることがない。
【００２１】
そして、被覆体が身体全体を覆うようにすると、身体を保湿したり保温することができる。また、この発明のマットは、多数の通気孔及びこれと連通する開口部を備えているので、布団乾燥機によって簡単に乾燥させることができるし、掃除機によって簡単にダニ等を吸引して清掃することができる。
【発明を実施するための最良の形態】
【００２２】
以下、本発明に係る被覆器の第１実施形態を図１〜図３を参照して説明する。この被覆器４は、例えば図１に示すように、利用者５が横たわった状態で、被覆体６が顔全体を覆うよう広げて使用できるものである。この被覆体６は支持部７によって支持されている。
【００２３】
支持部７は、例えば合成樹脂製であり、図１に示すように、固定部材８と、第１〜第３枠体９、１０、１１とを備えている。固定部材８は、例えば断面形状がＬ字状であり、水平部８ａと垂直部８ｂとを有している。そして、固定部材８は、利用者５の肩幅よりも少し長い寸法に形成されている。水平部８ａは、例えば敷布団１２の下に敷かれることによって、被覆器４が安定して起立するように、図２に示すように、その縦横の各寸法Ｔ、Ｙが規定されている。また、同図に示すように、固定部材８の垂直部８ｂには、第１枠体９が固定して設けられている。
【００２４】
第１〜第３枠体９〜１１は、図２に示すように、それぞれ略同一の形状、及び大きさに形成された略コ字状の線状体である。第１枠体９は、互いに平行する一対の各平行部９ａ、９ａが鉛直方向と平行する状態で、各下端部が垂直部８ｂの左右の各端部と結合している。第２及び第３の各枠体１０、１１は、それぞれの互いに平行する各平行部１０ａ、１０ａ、１１ａ、１１ａの両端部が２つの各枢支部１３、１３に回動自在に枢支されており、第２及び第３の各枠体１０、１１が所定の回動位置で保持されるように設けられている。これら２つの各枢支部１３、１３は、垂直部８ｂの左右の各端部の上部に設けられている。
【００２５】
枢支部１３は、軸１３ａと、この軸１３ａを支持する一対の軸受板１３ｂ、１３ｂとを備えている。この軸１３ａは、第２及び第３の各枠体１０、１１の各端部に形成されている挿通孔（図示せず）に挿通しており、これによって第２及び第３の各枠体１０、１１を回動自在に支持している。そして、一対の軸受板１３ｂ、１３ｂが２つの枠体１０、１１のそれぞれの端部を外側から所定の力で挟み込んでおり、これによって、第２及び第３の各枠体１０、１１が所定（任意）の回動位置で保持されるようにしてある。
【００２６】
被覆体６は、保温性及び保湿性を有する例えば織布、不織布又は膜で形成されている。膜としては、例えばビニール等の合成樹脂製とすることができる。ただし、被覆体（膜）６内と外部との間で空気が循環するように、膜に多数の小孔を形成するとよい。被覆体６は、図２に示すように、第１〜第３枠体９〜１１を外側から覆うように、これら第１〜第３枠体９〜１１に着脱自在に取り付けられている。つまり、クリップ、マジックテープ（登録商標）、又はホック等を利用して、被覆体６を第１〜第３枠体９〜１１に取り付けてある。このように、クリップ等を利用して、被覆体６を第１〜第３枠体９〜１１に着脱自在に取り付けてあるのは、例えば被覆体６が汚れたときに、被覆体６を第１〜第３枠体９〜１１から簡単に取り外して洗濯できるようにすることと、この洗濯した被覆体６を第１〜第３枠体９〜１１に簡単に取り付けできるようにすることのためである。
【００２７】
図２は、被覆器４の第２及び第３枠体１０、１１を広げた状態を示している。被覆体６は、被覆器４をこのように広げた状態で示すように、第１枠体９と固定部材８の垂直部８ｂ上縁とによって形成される領域を覆う矩形状部６ａ、第１〜第３枠体９〜１１のそれぞれの両側の平行部９ａ、１０ａ、１１ａ、・・・の隣り合うものどうしによって形成される領域を覆う合計４つの三角形状部６ｂ、６ｂ、６ｂ、６ｂ、第１〜第３枠体９〜１１のそれぞれの水平連結部９ｂ、１０ｂ、１１ｂの隣り合うものどうしによって形成される領域を覆う２つの矩形状部６ｃ、６ｃ、並びに第３枠体１１から垂れ下がる垂下がり部６ｄによって構成されている。この被覆体６は、複数枚の布地等を使用して形成してあるが、１枚の布地を使用して形成してもよい。
【００２８】
図３は、被覆器４の第２及び第３枠体１０、１１を閉じた状態を示している。この閉じた状態では、第１〜第３枠体９〜１１が略鉛直方向と平行し、互いに略重なり合う状態となっている。そして、第２及び第３枠体１０、１１は、枢支部１３、１３によってこの閉状態に保持されており、被覆器４は図３に示すように起立することができる。
【００２９】
上記のように構成された被覆器４は、例えば図１に示すように、就寝時に顔全体を覆うように設置して使用することができる。被覆器４を設置するときは、被覆器４を閉じた状態にして、固定部材８の水平部８ａを敷布団１２の上縁と座敷１４の上面との間に敷き込む。これによって、被覆器４を座敷１４に安定した状態で設置することができる。そして、同図に示すように、利用者５が敷布団１２と掛け布団１５との間に入って横たわり、閉じた状態の被覆器４を開いた状態にする。これによって、顔全体が、間隔を隔てて被覆体６によって覆われた状態となる。そして、被覆体６の垂下がり部６ｄは、図１に示すように被覆体６が顔全体を覆う状態で、掛け布団１５及び敷布団１２と接触する状態となる。このように、顔全体が被覆体６によって覆われた状態では、呼気に含まれている水蒸気や、呼気により暖められた空気を効果的に被覆体６内に閉じ込めておくことができる。これによって、被覆体６内を適切な湿度及び温度に保つことができるので、気道が乾燥したり冷やされることを防止できる。
【００３０】
そして、被覆器４は、図１に示すように、敷布団１２と座敷１４の上面との間に水平部８ａを敷き込んで使用できるので、寝床（敷布団１２等）の位置や場所（例えば部屋）を変更した場合に、その変更した寝床の位置や場所に、手間を掛けずに簡単に移動させることができるし、その移動した位置や場所で安定した設置状態で使用することができる。そして、使用しないときは、敷布団１２から引き離して、図３に示すように被覆器４を閉じた状態にして、簡単に片付けることができて便利である。
【００３１】
そして、この被覆器４は、自分の呼気によって被覆体６内の湿度及び温度を上げて気道を保護するものであり、加湿器や空調機によって部屋全体の湿度や温度を上げるものでないので、部屋内のカビやダニ等を増加させることがない。
【００３２】
そして、利用者５は、図１に示すように、第２及び第３枠体１０、１１を、枢支部１３を中心にして利用者５の顔に向かって回動させることによって、被覆体６が顔全体を覆うように広げた状態にすることができる。そして、第２及び第３枠体１０、１１を、枢支部１３を中心にして利用者５の顔から離れる方向に回動させることによって、被覆体６を顔から離れる位置に移動させることができる。このように、利用者５は、横たわった状態で、被覆体６を広げたり閉じたりすることができて便利である。そして、第２及び第３枠体１０、１１を所望の回動位置で停止させておくことができるので、被覆体６の垂下がり部６ｄと掛け布団１５等との間に空間（隙間）が形成されるようにすることができるし、顔が被覆体６によって覆われる範囲を少なくできる。これによって、顔を覆う被覆体６による圧迫感を軽減させることができる。
【００３３】
次に、図４及び図５を参照して、本発明に係る被覆器の第２実施形態を説明する。この被覆器１６は、図４に示すように、図１に示す第１実施形態の被覆器４と同様に、利用者５が横たわった状態で、被覆体１７が顔全体を覆うよう使用できるものであり、第１実施形態の被覆器４と同程度の横幅に形成されている。この被覆体１７は支持部１８によって支持されている。
【００３４】
支持部１８は、例えば合成樹脂製の線状体によって形成されたものであり、図５に示すように、上側支持体１９と下側支持体２０とを備えている。この上側及び下側支持体１９、２０は、それぞれが略同一形状の横長の矩形枠体として形成されている。そして、この上側支持体１９及び下側支持体２０は、所定の間隔を隔てて平行した状態で、それぞれの後ろ側部の左右の各角部が２本の支柱２１、２１によって互いに連結されている。この上側支持体１９と下側支持体２０との間隔Ｈ１は、図４に示すように、上側支持体１９によって支持されている被覆体１７と顔との間に所定の隙間が形成される寸法である。この所定の隙間の大きさは、利用者５が被覆体１７や上側支持体１９による圧迫感が気にならない程度の大きさであり、例えば約２０ｃｍである。下側支持体２０は、第１実施形態の固定部材８と同様に、敷布団１２の下に敷かれることによって、この被覆器１６を安定して起立させることができ、そのために所定の縦横の各寸法が規定されている。
【００３５】
被覆体１７は、第１実施形態の被服体６と同等のものであり、保温性及び保湿性を有する布等で形成されている。そして、被覆体１７は、図５に示すように、支持部１８の全体を外側から覆うように取り付けられている。そして、第１実施形態と同様に、被覆体１７は、クリップ等を利用して、上側支持体１９及び各支柱２１、２１に着脱自在に取り付けてある。
【００３６】
被覆体１７は、図５に示すように、上側支持体１９によって形成される領域を覆う矩形状部１７ａ、２本の支柱２１、２１間に形成されている領域を覆う矩形状部１７ｂ、並びに上側支持体１９の一対の平行部１９ａ、１９ａ及び自由端側の水平連結部１９ｂから垂れ下がる垂下がり部１７ｃによって構成されている。
【００３７】
上記のように構成された被覆器１６は、図４に示すように、断面形状がコ字形状であり、図３に示す第１実施形態の被覆器４のように閉じた状態にすることができないが、これ以外は、第１実施形態と同様にして使用することができるし同様に作用するので、それらの詳細な説明を省略する。
【００３８】
ただし、図５に示す被覆器１６を、上側支持体１９、下側支持体２０、及び２本の支柱２１、２１が互いに重なり合うように、折り畳んだ状態にできるようにすることができる。例えば、上側支持体１９と２本の各支柱２１、２１の上端部とを回動自在に連結部（図示せず）を介して連結すると共に、下側支持体２０と２本の各支柱２１、２１の下端部とを回動自在に連結部（図示せず）を介して連結する構成としてもよい。このようにすると、上側支持体１９及び下側支持体２０を、それぞれ回動部を中心にして２本の支柱２１、２１側に向かって回動させることができ、これによって、上側支持体１９、下側支持体２０、及び２本の支柱２１、２１が互いに重なり合うように折り畳んだ状態にすることができる。このように折り畳むことによって、持ち運び及び収納をし易くすることができる。勿論、回動部は、図５に示すように、上側支持体１９及び下側支持体２０を水平状態に保持できるように形成されている。
【００３９】
次に、図６及び図７を参照して、本発明に係る被覆器２２の第３実施形態を説明する。この被覆器２２は、図６に示すように、図１に示す第１実施形態の被覆器４と同様に、利用者５が横たわった状態で、被覆体２３が顔全体を覆うよう使用できるものであり、第１実施形態の被覆器４と同程度の横幅に形成されている。この被覆体２３は支持部２４によって支持されている。
【００４０】
支持部２４は、例えば合成樹脂製であり、図７に示すように、固定部材２５と、枠体２６とを備えている。固定部材２５は、例えば横長の矩形の板状体である。そして、固定部材２５は、例えば掛け布団１５、毛布、又はタオルケット等の上縁部上面２７に着脱自在に取り付けることができるように形成されており、例えば固定部材２５が掛け布団１５等の上面にマジックテープ（登録商標）（図示せず）によって取り付けられている。
【００４１】
枠体２６は、図７に示すように、略コ字状に形成された線状体である。この枠体２６は、互いに平行する各平行部２６ａ、２６ａの両端部が枢支部２８に回動自在に枢支されており、所定の回動位置で保持されるように設けられている。この枢支部２８は、固定部材２５の上面に設けられている。
【００４２】
枢支部２８は、突条であり、中心孔に枠体２６の各端部が挿通しており、枠体２６を回動自在に支持している。そして、各端部と中心孔（枢支部）２８の内面との摩擦力によって枠体２６が所定（任意）の回動位置で保持されるようにしてある。
【００４３】
被覆体２３は、第１実施形態の被服体６と同等のものであり、保温性及び保湿性を有する布等で形成されている。そして、被覆体２３は、図７に示すように、枠体２６及び固定部材２５を外側から覆うように取り付けられている。そして、第１実施形態と同様に、被覆体２３は、クリップ等を利用して、枠体２６及び固定部材２５に着脱自在に取り付けてある。
【００４４】
被覆体２３は、図７に示すように、枠体２６と固定部材２５とによって形成される領域を覆う矩形状部２３ａ、及び枠体２６の周囲から垂れ下がる垂下がり部２３ｂによって構成されている。
【００４５】
上記のように構成された被覆器２２は、例えば図６に示すように、就寝時に顔全体を覆うように、掛け布団１５に取り付けて使用することができる。被覆器２２を掛け布団１５に取り付けるときは、例えばまず、二点鎖線で示すように、枠体２６を掛け布団１５の上面に沿う不使用位置に回動させた状態にして、固定部材２５を掛け布団１５の上縁部上面２７にマジックテープ（登録商標）によって着脱自在に取り付ける。これによって、被覆器２２を掛け布団１５に安定した状態にして取り付けることができる。そして、同図の実線で示すように、利用者５が敷布団１２と掛け布団１５との間に入って横たわり、不使用状態の枠体２６を回動させて、実線で示す使用状態にする。これによって、顔全体が、間隔を隔てて被覆体２３によって覆われた状態となる。そして、被覆体２３の垂下がり部２３ｂは、掛け布団１５及び敷布団１２と接触する状態となる。このように、顔全体が被覆体２３によって覆われた状態では、第１実施形態の被覆器４と同様に、気道が乾燥したり冷やされることを防止できる。
【００４６】
そして、被覆器２２は、図６に示すように、掛け布団１５の上縁部上面２７にマジックテープ（登録商標）等によって着脱自在に取り付けて使用できるので、寝床（敷布団１２等）の位置や場所（例えば部屋）を変更した場合に、その変更した寝床の位置や場所に、被覆器２２を掛け布団１５に取り付けた状態で又は取り外して、手間を掛けずに簡単に移動させることができるし、その移動した位置や場所で安定した取付け状態で使用することができる。そして、使用しないときは、被覆器２２を掛け布団１５から簡単に取り外して片付けることができて便利である。
【００４７】
そして、この被覆器２２によると、図６に示すように、利用者５は、横たわった状態で、枠体２６を、枢支部２８を中心にして回動させることによって、被覆体２３が顔全体を覆うように使用状態にすることができるし、被覆体２３を不使用状態にすることができて便利である。また、枠体２６を所望の回動位置で停止させることができるので、被覆体２３の垂下がり部２３ｂと掛け布団１５等との間に隙間を形成することができる。これによって、顔全体を覆う被覆体２３による圧迫感を軽減させることができる。更に、この被覆器２２は、第１実施形態の被覆器４と同様に、部屋全体の湿度や温度を上げるものでないので、部屋内のカビやダニ等を増加させることがない。
【００４８】
次に、図８〜図１０を参照して本発明に係る被覆器の第４実施形態、及びこの被覆器に使用できるマットを説明する。この被覆器２９は、図８に示すように、利用者５がベッド３０上に横たわった状態で、被覆体３１が身体全体を覆うことができるものであり、被覆器２９がベッド３０のマット３２の全体を覆うことができる大きさに形成されている。この被覆体３１は支持部３３によって支持されている。
【００４９】
支持部３３は、例えば合成樹脂製であり、図８に示すように、逆Ｕ字形状に形成された第１枠体３４及び第２枠体３５を備えている。そして、この第１枠体３４と第２枠体３５とは、第１〜第４連結部３６、３７、３８、３９を介して連結されている。第１及び第２連結部３６、３７は、第１及び第２枠体３４、３５のそれぞれの端部どうしを互いに連結している。そして、第３及び第４連結部３８、３９は、第１及び第２枠体３４、３５のそれぞれの屈曲部３４ａ、３５ａと平行部３４ｂ、３４ｂ、３５ｂ、３５ｂとの結合部どうしを互いに連結している。また、第１枠体３４の両端部、及び第２枠体３５の両端部は、それぞれ補強部４０によって連結されている。そして、この支持部３３は、図８に示すように、ベッド３０の基台３０ａに着脱自在に取り付けられており、マット３２が内側に収容されている。
【００５０】
被覆体３１は、第１実施形態の被覆体６と同等のものであり、保温性及び保湿性を有する布等で形成されている。そして、被覆体３１は、図８に示すように、支持部３３を外側から覆うように取り付けられている。また、第１実施形態と同様に、被覆体３１は、クリップ等を利用して、支持部３３に着脱自在に取り付けてある。
【００５１】
被覆体３１は、図８に示すように、第１連結部３６、第３連結部３８及び２本の平行部３４ｂ、３５ｂによって形成される領域を覆う第１及び第２正面部４１、４２と、第２連結部３７、第４連結部３９及び２本の平行部３４ｂ、３５ｂによって形成される領域を覆う背面部４３と、第３連結部３８、第４連結部３９、及び２本の屈曲部３４ａ、３５ａによって形成される領域を覆う天井部４４と、第１枠体３４によって形成される領域を覆う左側面部４５と、第２枠体３５によって形成される領域を覆う第１及び第２右側面部４６、４７とによって構成されている。なお、第１及び第２正面部４１、４２は、図９に示すように、互いに重なり合う部分を左右にめくって開くことができ、これによって出入口４８を形成できるようになっている。図には示さないが、第１右側面部４６及び第２右側面部４７もこれと同様に、互いに重なり合う部分を左右にめくって開くことによって、出入口を形成できるようになっている。
【００５２】
上記のように構成された被覆器２９は、図８に示すように、就寝時に身体全体を覆うようにして使用することができる。この被覆器２９は、使用の際にベッド３０に取り付けてもよいし、使用の有無にかかわらず、ベッド３０に取り付けておくこともできる。
【００５３】
この被覆器２９によると、図８に示すように、利用者５が被覆器２９内に入ってベッド３０に横たわると、被覆体３１が身体全体と間隔を隔てて配置されているので、利用者５がベッド３０上で身体を動かしたり移動することができ、このように身体を動かす等しても、身体全体が被覆体３１によって覆われた状態を確実に維持することができる。このように、身体全体が被覆体３１によって覆われた状態となるので、身体全体を保湿したり、保温することができる。そして、第１実施形態の被覆器４と同様に、気道が乾燥したり冷やされることを防止できる。
【００５４】
また、この被覆器２９は、マット３２の上面から天井部４４までの高さを約１〜１．５ｍとしてあるので、利用者５がベッド３０上で横たわった状態で、被覆体３１による圧迫感を軽減させることができる。
【００５５】
マット３２は、図８に示すように、クッション部４９と保持部５０の２層構造となっている。クッション部４９は、例えば通気性を有する連通気泡の発泡合成樹脂製であり、例えば発泡ウレタンゴムによって形成されている。
【００５６】
保持部５０は、図１０に示すように、クッション部４９を保持しており、クッション部４９の下面に向かって開口する多数の通気孔５０ａ、・・・を有している。各通気孔５０ａは、クッション部４９側に向かうに従って開口面積が広がるように漏斗状に形成されている。これら多数の通気孔５０ａは、連通孔５１を介して開口部５２と連通している。この開口部５２は、保持部５０の側面から外側に向かって開口しており、短円筒部５３によって形成されている。保持部５０は、クッション部４９よりも比較的硬質の例えば発泡合成樹脂で形成されている。そして、この保持部５０の下面には通気性の低い封止布５４が設けられている。なお、この封止布５４に代えて、例えば合成樹脂製の封止膜を設けてもよい。
【００５７】
このように構成したマット３２によると、例えば布団乾燥機が吐出する高温乾燥空気を開口部５２から供給した場合、この高温乾燥空気を、連通孔５１及び多数の各通気孔５０ａ、・・・に通してクッション部４９の全体に行き渡らせることができる。これによって、このマット３２が吸湿した湿気を乾燥させることができるし、マット３２に付着するダニ等の害虫を死滅させることができる。そして、例えば掃除機によって開口部５２からマット３２内の空気を吸い込むと、多数の各通気孔５０ａ及び連通孔５１を介してマット３２に付着するダニやハウスダスト等を吸い込んで、マット３２を綺麗に掃除することができる。また、各通気孔５０ａを漏斗状に形成してあるので、開口部５２から供給される高温乾燥空気をクッション部４９の下面全体に広く行き渡らせることができる。更に、掃除機によって開口部５２から空気を吸引したときに、クッション部４９の下面全体からダニやハウスダスト等を吸い込むことができる。よって、マット３２の全体を乾燥させることができるし、綺麗に掃除することができる。
【００５８】
そして、保持部５０の下面に封止布５４を設けたことによって、例えば布団乾燥機が吐出する高温乾燥空気が保持部５０の下面から漏出するのを防止でき、高温乾燥空気をマット３２の全体に広く行き渡らせることができる。また、例えば掃除機によってマット３２に付着するダニやハウスダスト等を吸い込む際に、保持部５０の下面から空気が吸い込まれるのを防止して、マット３２を綺麗に掃除することができる。
【００５９】
ただし、第１〜第４実施形態において、支持部７、１８、２４、３３を合成樹脂製としたが、金属製としてもよい。そして、図６に示す第３実施形態では、被覆器２２をマジックテープ（登録商標）によって掛け布団１５の上縁部上面２７に着脱自在に取り付けたが、これ以外の方法によって被覆器２２を掛け布団１５に着脱自在に取り付けてもよい。例えば、被覆器２２の固定部材２５を掛け布団１５に対してホックによって取り付けてもよい。
【００６０】
また、図１０に示すように、上記実施形態のマット３２は、保持部５０の下面を通気性の低い封止布５４や封止膜で被覆したが、この封止布５４等を省略してもよい。このようにした場合は、このマット３２の下面に別のマット（図示せず）等を敷くとよい。この別のマットは、通気性の低いものであり、封止布５４等と同等の機能を有するものとする。また、保持部５０の下面部を通気性の低い材料で形成してもよい。
【００６１】
更に、第４実施形態において、被覆器２９及びマット３２をベッド３０の基台３０ａ上に載置したが、これに代えて、被覆器２９及びマット３２を座敷１４や床に直接配置してもよい。勿論、マット３２を省略して、被服器２９を座敷１４等に配置して使用することもできる。そして、第１、第２、及び第３実施形態において、被覆器４等を座敷１４に敷かれた敷布団１２や掛け布団１５に適用した例を示したが、例えばベッド３０の基台３０ａ上に敷かれたマットや掛け布団１５に適用することができる。
【産業上の利用可能性】
【００６２】
以上のように、本発明に係る被覆器は、寝床の位置や場所を変更した場合に、その寝床の位置や場所に簡単に移動させることができ、使用しないときは、簡単に片付けることができる優れた効果を有し、このような被覆器等に適用するのに適している。
【図面の簡単な説明】
【００６３】
【図１】この発明の第１実施形態に係る被覆器の使用状態を示す縦断面図である。
【図２】同第１実施形態に係る被覆器の広げた状態を示す斜視図である。
【図３】同第１実施形態に係る被覆器の閉じた状態を示す斜視図である。
【図４】同発明の第２実施形態に係る被覆器の使用状態を示す縦断面図である。
【図５】同第２実施形態に係る被服器を示す斜視図である。
【図６】同発明の第３実施形態に係る被覆器の使用状態を示す縦断面図である。
【図７】同第３実施形態に係る被服器を示す斜視図である。
【図８】同発明の第４実施形態に係る被覆器を示す斜視図である。
【図９】同第４実施形態に係る被覆器の被覆体を開いた状態を示す斜視図である。
【図１０】本発明の実施形態に係るマットの部分拡大縦断面図である。
【図１１】従来の就寝マスクの使用状態を示す正面図である。
【符号の説明】
【００６４】
４、１６、２２、２９  被覆器
５  利用者
６、１７、２３、３１  被覆体
７、１８、２４、３３  支持部
８、２５  固定部材
９、３４  第１枠体
１０、３５  第２枠体
１１  第３枠体
１２  敷布団
１３、２８  枢支部
１４  座敷
１５  掛け布団
１９  上側支持体
２０  下側支持体
２１  支柱
２６  枠体
２７  掛け布団の上縁部上面
３０  ベッド
３２  マット
４８  出入口
４９  クッション部
５０  保持部
５１  連通孔
５２  開口部
５３  短円筒部
５４  封止布
【図１】
2006055490.tif 000003
【図２】
2006055490.tif 000004
【図３】
2006055490.tif 000005
【図４】
2006055490.tif 000006
【図５】
2006055490.tif 000007
【図６】
2006055490.tif 000008
【図７】
2006055490.tif 000009
【図８】
2006055490.tif 000010
【図９】
2006055490.tif 000011
【図１０】
2006055490.tif 000012
【図１１】
2006055490.tif 000013